(57)【要約】ヘアカール器は持ち手、ローラー及び加熱部を備える。前記ローラーの一端部は前記持ち手に固定接続され、前記加熱部は電源に電気的に接続される。前記ヘアカール器は、前記持ち手から離れた他端部に固設されるとともに前記ローラーの当該他端部を封止する断熱ユニットを備える。前記ローラーの前記他端部には延伸部が設置され、前記断熱ユニットは、断熱部、エンドキャップ及び固定部材を備え、前記エンドキャップは前記ローラーの前記他端部に冠着され、前記断熱部は前記延伸部内に装着されて前記エンドキャップと前記加熱部の間に位置し、前記固定部材は前記エンドキャップを前記ローラーに固定し、前記断熱部は断熱材料からなる。【選択図】図１
2017505155.tif 000002
【特許請求の範囲】
【請求項１】
持ち手、ローラー及び加熱部を備え、前記ローラーの一端部が前記持ち手に固定接続され、前記加熱部が電源に電気的に接続され、前記加熱部が前記ローラーを加熱するヘアカール器において、
前記ローラーの前記持ち手から離れた他端部に固設されるとともに、前記ローラーの前記他端部を封止する断熱ユニットを更に備え、
前記ローラーの前記他端部に延伸部が設置され、
前記断熱ユニットが、断熱部、エンドキャップ及び固定部材を備え、前記エンドキャップが前記ローラーの前記他端部に冠着され、前記断熱部が前記延伸部内に装着されて前記エンドキャップと前記加熱部の間に位置し、前記固定部材が前記エンドキャップを前記ローラーに固定し、
前記断熱部が断熱材料からなることを特徴とするヘアカール器。
【請求項２】
前記加熱部は導電部材と加熱体を備え、
前記導電部材は、前記持ち手内に設置され、前記電源からの電力を前記加熱要素に伝達し、
前記加熱体は前記ローラー内に設置され、
前記加熱体の外周面と前記ローラーの内周面は、前記ローラーを加熱するように密着していることを特徴とする請求項１記載のヘアカール器。
【請求項３】
前記延伸部には、前記ローラーの軸線方向に延伸するとともに互いに間隔を置いて配列する複数の延伸片が形成され、
前記断熱部の外表面には、内側に凹陥する複数の凹部が形成され、
前記断熱部が前記延伸部内に装着される際、前記延伸部における前記複数の延伸片の各々が前記断熱部における前記複数の凹部のうち対応する凹部に収容されることで、前記断熱部が前記ローラーに対して回動不能となることを特徴とする請求項２記載のヘアカール器。
【請求項４】
前記エンドキャップの内側表面には位置決め突起が形成され、
前記エンドキャップが前記ローラーの前記他端部に冠着されて前記ローラーの前記他端部を封止する際、前記位置決め突起が前記断熱部における対応する位置決め凹部に差し込まれることで、前記エンドキャップが前記ローラーに対して回動不能となることを特徴とする請求項３記載のヘアカール器。
【請求項５】
前記エンドキャップが前記ローラーの前記他端部に冠着されて前記ローラーの前記他端部を封止する際、前記エンドキャップが前記ローラーに固定されるように、前記固定部材が前記断熱部を挿通して前記加熱部に固定接続されることを特徴とする請求項４記載のヘアカール器。
【請求項６】
前記固定部材の前記エンドキャップとの接触部分が断熱材料で覆われていることを特徴とする請求項５記載のヘアカール器。
【請求項７】
前記断熱材料がシリコーンゴムであることを特徴とする請求項６記載のヘアカール器。
【請求項８】
前記断熱部と前記延伸部が一体的に形成されたことを特徴とする請求項１に記載のヘアカール器。
【請求項９】
前記延伸部の端面と前記エンドキャップの間に位置する隔離部材を更に備えることを特徴とする請求項１に記載のヘアカール器。
【発明の詳細な説明】
【技術分野】
【０００１】
関連出願の相互参照
この出願は、２０１３年８月３０日に出願された先願である中国特許出願第ＺＬ２０１３２０５４０３８１．３号に関連し、当該中国特許出願に基づく優先権を主張し、その内容をここに援用するものである。
【０００２】
本考案はヘアカール器に関する。
【背景技術】
【０００３】
従来のヘアカール器は、持ち手、ローラー及び加熱部を有する。加熱部はローラーを加熱するために当該ローラー内に設置されており、持ち手はローラーの一端部に設置されている。これにより、使用者は、持ち手を把持しながら加熱されたローラーを使用して、頭髪をカールすることができる。ヘアカール器をより安定的に使用するために、ローラーの他端部にはエンドキャップが設置されている。当該エンドキャップは、ねじによってローラーに固定されている。使用者は、両手で持ち手とエンドキャップとをそれぞれ把持することで、安定的に頭髪をカールすることができる。
【０００４】
しかし、エンドキャップはねじによってローラー内の加熱部に固定されているため、ヘアカール器の使用時には、加熱部で発生した大量の熱がエンドキャップの表面に伝達してしまう。加えて、固定に用いられるねじは、概して金属材料からなるとともに、比較的良い熱伝達性を有するので、加熱部がローラーを加熱するのに伴ってねじも加熱される。そして、ねじはエンドキャップとの接触によって熱を当該エンドキャップに伝達する。その結果、エンドキャップは更に加熱されてしまう。頭髪をカールする際の加熱温度は大変高く、加熱されたエンドキャップの温度は人の体温よりも遥かに高い。それ故、使用者は、使用のためにエンドキャップを把持するときに、火傷するおそれがある。
【発明の概要】
【発明が解決しようとする課題】
【０００５】
本考案は、使用者によって把持されるエンドキャップに熱が伝達することを効果的に防ぐことができ、その結果、当該使用者が火傷するおそれを回避できるヘアカール器を提供することを目的とする。
【課題を解決するための手段】
【０００６】
本考案は、持ち手、ローラー及び加熱部を備え、前記ローラーの一端部が前記持ち手に固定接続され、前記加熱部が電源に電気的に接続されて前記ローラーを加熱するヘアカール器を提供する。前記ヘアカール器は、前記ローラーの前記持ち手から離れた他端部に固設されるとともに、前記ローラーの前記他端部を封止する断熱ユニットを更に備え、前記ローラーの前記他端部には延伸部が設置され、前記断熱ユニットが、断熱部、エンドキャップ及び固定部材を備え、前記エンドキャップが前記ローラーの前記他端部に冠着され、前記断熱部が前記延伸部に装着されて前記エンドキャップと前記加熱部の間に位置し、前記固定部材が前記エンドキャップを前記ローラーに固定し、前記断熱部が断熱材料からなる。
【０００７】
このような構造によれば、 エンドキャップと加熱部の間に断熱部が備えられ、加熱部で発生する熱は断熱部によって遮断されてエンドキャップに伝達することがなく、ヘアカール器の使用時にエンドキャップを把持する使用者が火傷しなくなる。
【０００８】
本考案に係るヘアカール器において、前記加熱部は導電部材と加熱体を備え、前記導電部材は、前記持ち手内に設置され、電力を前記電源から前記加熱体に伝達し、前記加熱体は前記ローラー内に設置され、前記加熱体の外周面と前記ローラーの内周面は、前記ローラーを加熱するよう密着していることが好ましい。
【０００９】
本考案に係るヘアカール器において、前記延伸部には、前記ローラーの軸線方向に延伸するとともに互いに間隔を置いて配列する複数の延伸片が形成され、前記断熱部の外表面には、内側に凹陥する複数の凹部が形成され、前記断熱部が前記延伸部内に装着される際、前記延伸部における前記複数の延伸片の各々が前記断熱部における前記複数の凹部のうち対応する凹部に収容されることで、前記断熱部が前記ローラーに対して回動不能となることが好ましい。
【００１０】
本考案に係るヘアカール器において、前記エンドキャップの内側表面には位置決め突起が形成され、前記エンドキャップが前記ローラーの前記他端部に冠着されて前記ローラーの前記他端部を封止する際、前記位置決め突起が前記断熱部における対応する位置決め凹部に差し込まれることで、前記エンドキャップが前記ローラーに対して回動不能となることが好ましい。
【００１１】
上記構造によれば、エンドキャップがローラーに対して回動不能なことから、使用者がヘアカール器を使用する際、頭髪をカールする期間中にエンドキャップが回動しないので、ローラーの制御に困難が生じない。
【００１２】
本考案に係るヘアカール器において、前記エンドキャップが前記ローラーの前記他端部に冠着されて前記ローラーの前記他端部を封止する際、前記エンドキャップが前記ローラーに固定されるように、前記固定部材が前記断熱部を挿通して前記加熱部に固定接続されることが好ましい。
【００１３】
本考案に係るヘアカール器において、前記固定部材の前記エンドキャップとの接触部分は、断熱材料で覆われていることが好ましい。
【００１４】
上記構造によれば、固定部材のエンドキャップとの接触部分が断熱材料によって覆われているため、加熱部からの熱が固定部材に伝達したとしても、固定部材に伝達した熱がエンドキャップに伝達することを阻むことができる。これにより、エンドキャップの過昇温によって使用者が火傷することを守ることができる。
【００１５】
本考案に係るヘアカール器において、前記断熱材料はシリコーンゴムであることが好ましい。
【００１６】
本考案に係るヘアカール器において、前記断熱部と前記延伸部とが一体的に形成されたことが好ましい。
【００１７】
本考案に係るヘアカール器が、前記延伸部の端面と前記エンドキャップの間に位置する隔離部材を備えることも好ましい。
【図面の簡単な説明】
【００１８】
【図１】本考案に係るヘアカール器の斜視図である。
【図２】本考案に係るヘアカール器を一部分解した斜視図である。
【図３】図２の部分断面図である。
【発明を実施するための形態】
【００１９】
次に、図面を参照して本考案の好ましい実施形態について説明する。
【００２０】
図１は、本考案に係るヘアカール器の斜視図である。図２は、本考案に係るヘアカール器の一部を分解した斜視図である。図３は、図２の部分断面図である。
【００２１】
ヘアカール器１は、持ち手２、ローラー３及び加熱部４を備える。ヘアカール器１を使用する際、使用者は持ち手２を把持することができる。ローラー３の一端部は、持ち手２に固定接続されている。加熱部４は、ローラー３が加熱されるように加熱用電源（図示しない）に電気的に接続されている。
【００２２】
加熱部４は導電部材及び加熱体４２を備える。導電部材は持ち手２内に設置されており、電源からの電力を加熱体４２に伝達する。加熱体４２は、ローラー３内に設置されており、円筒状を呈している。また、加熱体４２の外周面は、ローラー３を加熱するようにローラー３の内周面に密着している。ヘアカール器を使用する際、導電部材が電源からの電力を加熱体４２に伝達し、そして、加熱体４２が熱を発生させ、加熱体４２の外周面とローラー３の内周面との密着によって当該熱をローラー３に伝達する。これにより、ローラーの熱を頭髪のカールに用いることができる。
【００２３】
ヘアカール器１は、断熱ユニット５を更に備える。断熱ユニット５は、ローラー３の持ち手２から離れた他端部に固設されており、加熱部４で発生した熱が当該断熱ユニット５の外表面に伝達するのを防ぐように、ローラー３の他端部を封止する。ヘアカール器を使用する際、ローラー３を安定的に回転させて頭髪をカールするために、使用者は両手で持ち手２と断熱ユニット５とを同時に把持する。熱が断熱ユニット５の外表面に伝達しないので、断熱ユニット５の外表面は温度が低く、使用者を火傷させない。
【００２４】
以下に、本考案の好ましい実施形態に係る断熱ユニットについて具体的に説明する。断熱ユニット５は、断熱部５１、エンドキャップ５２及び固定部材５３を備える。
【００２５】
断熱部５１は、例えばシリコーンゴム等の断熱材料からなり、エンドキャップ５２とローラー３の間に設置されている。断熱部５１は、加熱部４からの熱を遮断するためにローラー３の他端部に差し込まれている。また、断熱部５１は、ローラー３に対して回動不能に構成されている。より具体的には、ローラー３の他端部には延伸部３１が設けられており、断熱部５１は延伸部３１内に装着されて、エンドキャップ５２と加熱部４の間に配置される。更に、延伸部３１には、ローラー３の軸線方向に延伸するとともに互いに間隔を置いて配列する複数の延伸片が形成されており、断熱部５１の外表面には、内側に凹陥する複数の凹部が形成されている。断熱部５１が延伸部３１内に装着される際、延伸部３１の複数の延伸片各々が、断熱部５１の複数の凹部のうち対応する凹部に収容される。これにより、断熱部５１はローラー３に対して回動不能となる。
【００２６】
更に、断熱部５１は、ローラー３の他端部の開口が封止されるように当該端部に設置されており、加熱部４で発生した熱が当該端部の開口を通じてエンドキャップ５２に伝達することを阻む。このようにして、使用者がエンドキャップを把持したときに当該使用者を火傷から守ることができる。
【００２７】
このほか、ヘアカール器は隔離部材５１Ａを更に備える。隔離部材５１Ａは環状を呈し、延伸部の端面とエンドキャップの間に配置される。エンドキャップ５２は隔離部材５１Ａを介してローラー３の他端部に冠着される。エンドキャップ５２の内側表面には、位置決め突起が形成されている。エンドキャップ５２がローラー３の他端部に冠着されて当該ローラー３の他端部を封止する際、位置決め突起５２Ａは断熱部５１のうち当該位置決め突起５２Ａに対応する位置決め凹部６１に差し込まれる。このような構成により、エンドキャップ５２はローラー３に対し回動不能となる。
【００２８】
固定部材５３のエンドキャップ５２との接触部分は、断熱材料で覆われている。固定部材５３は、例えば金属等の材料からなるねじ部材５３Ａと、カバー部５３Ｂとを備える。カバー部５３Ｂは、固定部材５３のエンドキャップ５２との接触部分を有する。カバー部５３Ｂは、ねじ部材５３Ａの一端部からねじ部材５３Ａに固定的に冠着されており、固定部材５３がエンドキャップ５２をローラー３に固定すると、ねじ部材５３Ａの一端部はエンドキャップ５２側に配置される。
【００２９】
エンドキャップ５２がローラー３の他端部に冠着されてローラー３の他端部を封止すると、エンドキャップ５２がローラー３に固定されるように、固定部材５３が断熱部５１を挿通して加熱部４に固定接続される。固定部材５３のエンドキャップ５２との接触部分は断熱材料で覆われているため、加熱部４からの熱が固定部材５３のねじ部材５３Ａに伝達したとしても、ねじ部材５３Ａに伝達した熱がエンドキャップ５２に伝達することはない。これにより、エンドキャップ５２の過昇温によって使用者が火傷することを守ることができる。
【００３０】
本考案の好ましい実施形態によれば、断熱部と延伸部とが互いに分離した部材からなり、両者は各々の複数の凹部と複数の延伸片とによって互いに接続されているが、本考案はこれ（好ましい実施形態）に限られない。加熱部で発生する熱が遮断されてエンドキャップに伝達しなければ、断熱部と延伸部とは一体的に形成されていてもよい。
【００３１】
本考案の好ましい実施形態について詳述したが、本考案の範囲はこれに限られない。当業者であれば、本考案の範囲内で各種変更が可能であることを理解すべきである。そして、ここに開示した実施形態は説明のためのものに過ぎない。本考案の範囲はそれ故限定されず、請求の範囲によって決定されるものと理解すべきである。
【図１】
2017505155.tif 000003
【図２】
2017505155.tif 000004
【図３】
2017505155.tif 000005
【手続補正書】
【提出日】平成28年4月25日(2016.4.25)
【手続補正１】
【補正対象書類名】特許請求の範囲
【補正対象項目名】全文
【補正方法】変更
【補正の内容】
【特許請求の範囲】
【請求項１】
持ち手、ローラー及び加熱部を備え、前記ローラーの一端部が前記持ち手に固定接続され、前記加熱部が電源に電気的に接続され、前記加熱部が前記ローラーを加熱するヘアカール器において、
前記ローラーの前記持ち手から離れた他端部に固設されるとともに、前記ローラーの前記他端部を封止する断熱ユニットを更に備え、
前記ローラーの前記他端部に延伸部が設置され、
前記断熱ユニットが、断熱部、エンドキャップ及び固定部材を備え、前記エンドキャップが前記ローラーの前記他端部に冠着され、前記断熱部が前記延伸部内に装着されて前記エンドキャップと前記加熱部の間に位置し、前記固定部材が前記エンドキャップを前記ローラーに固定し、
前記断熱部が断熱材料からなることを特徴とするヘアカール器。
【請求項２】
前記加熱部は導電部材と加熱体を備え、
前記導電部材は、前記持ち手内に設置され、前記電源からの電力を前記加熱体に伝達し、
前記加熱体は前記ローラー内に設置され、
前記加熱体の外周面と前記ローラーの内周面は、前記ローラーを加熱するように密着していることを特徴とする請求項１記載のヘアカール器。
【請求項３】
前記延伸部には、前記ローラーの軸線方向に延伸するとともに互いに間隔を置いて配列する複数の延伸片が形成され、
前記断熱部の外表面には、内側に凹陥する複数の凹部が形成され、
前記断熱部が前記延伸部内に装着される際、前記延伸部における前記複数の延伸片の各々が前記断熱部における前記複数の凹部のうち対応する凹部に収容されることで、前記断熱部が前記ローラーに対して回動不能となることを特徴とする請求項２記載のヘアカール器。
【請求項４】
前記エンドキャップの内側表面には位置決め突起が形成され、
前記エンドキャップが前記ローラーの前記他端部に冠着されて前記ローラーの前記他端部を封止する際、前記位置決め突起が前記断熱部における対応する位置決め凹部に差し込まれることで、前記エンドキャップが前記ローラーに対して回動不能となることを特徴とする請求項３記載のヘアカール器。
【請求項５】
前記エンドキャップが前記ローラーの前記他端部に冠着されて前記ローラーの前記他端部を封止する際、前記エンドキャップが前記ローラーに固定されるように、前記固定部材が前記断熱部を挿通して前記加熱部に固定接続されることを特徴とする請求項４記載のヘアカール器。
【請求項６】
前記固定部材の前記エンドキャップとの接触部分が断熱材料で覆われていることを特徴とする請求項５記載のヘアカール器。
【請求項７】
前記断熱材料がシリコーンゴムであることを特徴とする請求項６記載のヘアカール器。
【請求項８】
前記断熱部と前記延伸部が一体的に形成されたことを特徴とする請求項１に記載のヘアカール器。
【請求項９】
前記延伸部の端面と前記エンドキャップの間に位置する隔離部材を更に備えることを特徴とする請求項１に記載のヘアカール器。
【国際調査報告】
2017505155.tif 000006
2017505155.tif 000007